(57)【特許請求の範囲】
【請求項１】
入力映像信号、入力映像信号が１水平期間遅延された信号および入力映像信号が２水平期間遅延された信号に対して、垂直ローパスフィルタ処理を行う垂直ローパスフィルタ、
垂直ローパスフィルタから出力された信号に対して第１の水平ローパスフィルタ処理を行う第１の水平ローパスフィルタ、
垂直ローパスフィルタから出力された信号に対して第２の水平ローパスフィルタ処理を行う第２の水平ローパスフィルタ、
第１の水平ローパスフィルタの後段に設けられた第１の水平輪郭信号生成回路、
第２の水平ローパスフィルタの後段に設けられた第２の水平輪郭信号生成回路、および
色差信号に基づいて算出された所定領域毎の彩度情報に基づいて、第１の水平輪郭信号生成回路によって生成された第１の水平輪郭信号と第２の水平輪郭信号生成回路によって生成された第２の水平輪郭信号とを、適応的に選択して出力する選択回路を備えており、
第１の水平ローパスフィルタは、第２の水平ローパスフィルタに比べて、高周波成分を通す特性を有している単板式カラーカメラにおける水平輪郭信号生成回路。
【請求項２】
入力映像信号、入力映像信号が１水平期間遅延された信号および入力映像信号が２水平期間遅延された信号に対して、垂直ローパスフィルタ処理を行う垂直ローパスフィルタ、
垂直ローパスフィルタから出力された信号に対して第１の水平ローパスフィルタ処理を行う第１の水平ローパスフィルタ、
垂直ローパスフィルタから出力された信号に対して第２の水平ローパスフィルタ処理を行う第２の水平ローパスフィルタ、
第１の水平ローパスフィルタの後段に設けられた第１の水平輪郭信号生成回路、
第２の水平ローパスフィルタの後段に設けられた第２の水平輪郭信号生成回路、および
色差信号に基づいて算出された所定領域毎の彩度情報に基づいて、第１の水平輪郭信号生成回路によって生成された第１の水平輪郭信号と第２の水平輪郭信号生成回路によって生成された第２の水平輪郭信号とを、加重加算する加重加算手段を備えており、
第１の水平ローパスフィルタは、第２の水平ローパスフィルタに比べて、高周波成分を通す特性を有している単板式カラーカメラにおける水平輪郭信号生成回路。
【請求項３】
加重加算手段は、
１画面を複数の領域に分割し、色差信号に基づいて各分割領域毎に彩度積算値を求める手段、
各分割領域毎の彩度積算値に基づいて、第１の水平輪郭信号と第２の水平輪郭信号との加重加算係数値を各分割領域毎に求める手段、
各分割領域毎に求められた加重加算係数値に基づいて、画素毎の加重加算係数値を求める手段、および
画素毎の加重加算係数値に基づいて、第１の水平輪郭信号と第２の水平輪郭信号とを加重加算する手段、
を備えている請求項２に記載の単板式カラーカメラにおける水平輪郭信号生成回路。
【請求項４】
加重加算手段は、
色差信号に基づいて画素毎に彩度を求める手段、
１画面を複数の領域に分割し、各分割領域毎に彩度が閾値以上である画素の数をカウントし、そのカウント値をその分割領域での彩度評価値とする手段、
複数フィールド分の分割領域単位の彩度評価値を、分割領域毎に積算する手段、
分割領域毎の彩度評価値積算値を、２次元フィルタ処理することにより、分割領域毎の最終的な彩度評価値を求める手段、
各分割領域毎の最終的な彩度評価値に基づいて、画素毎の彩度評価値を求める手段、および
画素毎の彩度評価値に基づいて、第１の水平輪郭信号と第２の水平輪郭信号とを加重加算する手段、
を備えている請求項２に記載の単板式カラーカメラにおける水平輪郭信号生成回路。
【発明の詳細な説明】
【０００１】
【発明の属する技術分野】
この発明は、単板式カラーカメラにおける水平輪郭信号生成回路に関する。
【０００２】
【従来の技術】
図１２は、単板式ＣＣＤカラーカメラにおける従来の信号処理回路の構成を示している。
【０００３】
信号処理回路は、２つの遅延回路１、２と、Ｙ系（輝度信号系）処理回路１００と、Ｃ系（色信号系）処理回路２００とを備えている。
【０００４】
第１の１Ｈ遅延回路１は、入力映像信号（ＣＣＤ出力信号）を、１Ｈ（１水平期間）遅延させた信号映像を生成する。第２の１Ｈ遅延回路２は、１Ｈ遅延した映像信号をさらに１Ｈ遅延させた映像信号を生成する。
【０００５】
入力映像信号、１Ｈ遅延された映像信号および２Ｈ遅延された映像信号は、Ｙ系処理回路１００に送られるとともに、Ｃ系処理回路２００に送られる。
【０００６】
まず、Ｙ系処理回路１００の動作について説明する。
【０００７】
入力映像信号、１Ｈ遅延された映像信号および２Ｈ遅延された映像信号は、垂直輪郭補正回路１０１に送られるとともにＶＬＰＦ１０２に送られる。垂直輪郭補正回路１０１は、入力映像信号、１Ｈ遅延された映像信号および２Ｈ遅延された信号に基づいて、垂直輪郭信号（垂直アパーチャ信号）ＶＡＰを生成する。ＶＬＰＦ１０２は、入力映像信号、１Ｈ遅延された映像信号および２Ｈ遅延された映像信号に対して、垂直ローパスフィルタ処理を行なう。
【０００８】
ＶＬＰＦ１０２から出力された信号は、第１のＨＬＰＦ１０３に送られるとともに第２のＨＬＰＦ１０４に送られる。各ＨＬＰＦ１０３、１０４は、ＶＬＰＦ１０２から出力された信号に対して、水平ローパスフィルタ処理を行なう。第１のＨＬＰＦ１０３は多タップ構成のＬＰＦから構成され、第２のＨＬＰＦ１０４は少タップ構成のＬＰＦから構成されている。第１のＨＬＰＦ１０３は、第２のＨＬＰＦ１０４より、高周波数成分を通す特性を有している。
【０００９】
第２のＨＬＰＦ１０４の出力Ｙｍは、水平輪郭補正回路１０５に送られる。水平輪郭補正回路１０５は、第２のＨＬＰＦ１０４の出力Ｙｍに基づいて、水平輪郭信号（水平アパーチャ信号）ＨＡＰを生成する。
【００１０】
垂直輪郭補正回路１０１によって生成された垂直輪郭信号と水平輪郭補正回路１０５によって生成された水平輪郭信号とは、第１の加算器１０６によって加算される。第１の加算器１０６の出力と、第１のＨＬＰＦ１０３の出力Ｙｈとは、第２の加算器１０７によって加算される。
【００１１】
第２の加算器１０７の出力は、輝度信号処理回路１０８に送られ、同期信号およびブランキング信号が付加された後、輝度信号として出力される。
【００１２】
なお、水平輪郭信号ＨＡＰは、高周波成分が除去された信号に基づいて生成することが好ましいため、第１のＨＬＰＦ１０３より高周波成分を通過させない特性を有する第２のＨＬＰＦ１０４の出力Ｙｍに基づいて生成されている。
【００１３】
一方、垂直輪郭信号ＶＡＰと水平輪郭信号ＨＡＰとの和からなる輪郭信号に加算される輝度信号としては、高周波成分を含んだ輝度信号を用いることが好ましいため、第２のＨＬＰＦ１０４より高周波成分を通過させる特性を有する第１のＨＬＰＦ１０３から出力される輝度信号Ｙｈが用いられている。
【００１４】
次に、Ｃ系処理回路２００の動作について説明する。
【００１５】
入力映像信号、１Ｈ遅延された映像信号および２Ｈ遅延された映像信号は、色分離回路２０１に送られ、輝度信号Ｙｌと色信号Ｃｒ、Ｃｂとが生成される。色分離回路２０１によって得られた輝度信号Ｙｌと色信号Ｃｒ、Ｃｂとは、色信号処理回路２０２に送られる。
【００１６】
色信号処理回路２０２は、ＲＢＧマトリクス回路、色差マトリクス回路等を含んでおり、色差信号（Ｒ−Ｙ）、（Ｂ−Ｙ）を生成する。色信号処理回路２０２によって得られた色差信号（Ｒ−Ｙ）、（Ｂ−Ｙ）は、カラーエンコード回路２０３に送られる。
【００１７】
カラーエンコード回路２０３では、位相差が９０度である２つの色搬送波を色差信号（Ｒ−Ｙ）、（Ｂ−Ｙ）でそれぞれ平衡変調したものが合成されて、色信号が生成される。
【００１８】
【発明が解決しようとする課題】
従来のＹ系処理回路では、無彩色部分において解像度が低くなるという問題があった。
【００１９】
この発明は、上記従来技術を改良したものであって、無彩色部分および有彩色部分のいずれにおいても、高解像度の輝度信号を得ることができる単板式ＣＣＤカラーカメラにおける水平輪郭信号生成回路を提供することを目的とする。
【００２０】
【課題を解決するための手段】
この発明による第１の単板式カラーカメラにおける水平輪郭信号生成回路は、入力映像信号、入力映像信号が１水平期間遅延された信号および入力映像信号が２水平期間遅延された信号に対して、垂直ローパスフィルタ処理を行う垂直ローパスフィルタ、垂直ローパスフィルタから出力された信号に対して第１の水平ローパスフィルタ処理を行う第１の水平ローパスフィルタ、垂直ローパスフィルタから出力された信号に対して第２の水平ローパスフィルタ処理を行う第２の水平ローパスフィルタ、第１の水平ローパスフィルタの後段に設けられた第１の水平輪郭信号生成回路、第２の水平ローパスフィルタの後段に設けられた第２の水平輪郭信号生成回路、および色差信号に基づいて算出された所定領域毎の彩度情報に基づいて、第１の水平輪郭信号生成回路によって生成された第１の水平輪郭信号と第２の水平輪郭信号生成回路によって生成された第２の水平輪郭信号とを、適応的に選択して出力する選択回路を備えており、第１の水平ローパスフィルタは、第２の水平ローパスフィルタに比べて、高周波成分を通す特性を有していることを特徴とする。
【００２１】
この発明による第２の単板式カラーカメラにおける水平輪郭信号生成回路は、入力映像信号、入力映像信号が１水平期間遅延された信号および入力映像信号が２水平期間遅延された信号に対して、垂直ローパスフィルタ処理を行う垂直ローパスフィルタ、垂直ローパスフィルタから出力された信号に対して第１の水平ローパスフィルタ処理を行う第１の水平ローパスフィルタ、垂直ローパスフィルタから出力された信号に対して第２の水平ローパスフィルタ処理を行う第２の水平ローパスフィルタ、第１の水平ローパスフィルタの後段に設けられた第１の水平輪郭信号生成回路、第２の水平ローパスフィルタの後段に設けられた第２の水平輪郭信号生成回路、および色差信号に基づいて算出された所定領域毎の彩度情報に基づいて、第１の水平輪郭信号生成回路によって生成された第１の水平輪郭信号と第２の水平輪郭信号生成回路によって生成された第２の水平輪郭信号とを、加重加算する加重加算手段を備えており、第１の水平ローパスフィルタは、第２の水平ローパスフィルタに比べて、高周波成分を通す特性を有していることを特徴とする。
【００２２】
加重加算手段としては、たとえば、１画面を複数の領域に分割し、色差信号に基づいて各分割領域毎に彩度積算値を求める手段、各分割領域毎の彩度積算値に基づいて、第１の水平輪郭信号と第２の水平輪郭信号との加重加算係数値を各分割領域毎に求める手段、各分割領域毎に求められた加重加算係数値に基づいて、画素毎の加重加算係数値を求める手段、および画素毎の加重加算係数値に基づいて、第１の水平輪郭信号と第２の水平輪郭信号とを加重加算する手段を備えているものが用いられる。
【００２３】
加重加算手段としては、たとえば、色差信号に基づいて画素毎に彩度を求める手段、１画面を複数の領域に分割し、各分割領域毎に彩度が閾値以上である画素の数をカウントし、そのカウント値をその分割領域での彩度評価値とする手段、複数フィールド分の分割領域単位の彩度評価値を、分割領域毎に積算する手段、分割領域毎の彩度評価値積算値を、２次元フィルタ処理することにより、分割領域毎の最終的な彩度評価値を求める手段、各分割領域毎の最終的な彩度評価値に基づいて、画素毎の彩度評価値を求める手段、および画素毎の彩度評価値に基づいて、第１の水平輪郭信号と第２の水平輪郭信号とを加重加算する手段を備えているものが用いられる。
【００２４】
【発明の実施の形態】
以下、この発明の実施の形態について説明する。
【００２５】
〔Ａ〕第１の実施の形態の説明
【００２６】
〔１〕単板式ＣＣＤカラーカメラにおける信号処理回路の説明
【００２７】
図１は、単板式ＣＣＤカラーカメラにおける信号処理回路の第１の実施の形態の構成を示している。図１において図１２と同じものには同じ符号を付してその説明を省略する。
【００２８】
図１の信号処理回路では、図１２の信号処理回路に比べて、次の点が異なっている。
【００２９】
（１）第１のＨＬＰＦ１０３の出力Ｙｈは、第２の加算器１０７の他、新たに設けられた水平輪郭補正回路１１１に送られていること。第１のＨＬＰＦ１０３の出力Ｙｈが入力する水平輪郭補正回路１１１を第１の水平輪郭補正回路１１１と呼び、第２のＨＬＰＦ１０４の出力Ｙｍが入力する水平輪郭補正回路１０５を第２の水平輪郭補正回路１０５と呼ぶことにする。
【００３０】
（２）第１の水平輪郭補正回路１１１によって生成された第１の水平輪郭信号と第２の水平輪郭補正回路１０５によって生成された第２の水平輪郭信号とは、新たに設けられた、加重加算回路１１２に送られること。また、加重加算回路１１２の出力が、第１の加算器１０６に送られること。
【００３１】
（３）色信号処理回路２０２から出力される色差信号（Ｒ−Ｙ）、（Ｂ−Ｙ）に基づいて、１画面内に設定された複数の彩度積算領域毎に彩度積算値を算出する彩度積算値算出回路３０１が設けられていること。
【００３２】
（４）彩度積算値算出回路３０１によって算出された彩度積算領域毎に彩度積算値に基づいて、画素単位毎の加重加算係数を算出する加重加算係数算出回路３０２が設けられていること。
【００３３】
（５）加重加算回路１１２は、加重加算係数算出回路３０２によって算出された画素単位毎の加重加算係数に基づいて、第１の水平輪郭信号と第２の水平輪郭信号とを加重加算すること。ここでは、第１の水平輪郭信号をＨＡＰ１とし、第２の水平輪郭信号をＨＡＰ２とし、Ｋを加重加算係数とすると、加重加算回路１１２は、（１−Ｋ）・ＨＡＰ１＋Ｋ・ＨＡＰ２の演算を行なうものとする。ただし、Ｋは、０≦Ｋ≦１の範囲内の値である。
【００３４】
〔２〕第１のＨＬＰＦ１０３および第２のＨＬＰＦ１０４の特性についての説明
【００３５】
第１のＨＬＰＦ１０３は多タップ構成のＬＰＦから構成され、第２のＨＬＰＦ１０４は少タップ構成のＬＰＦから構成されている。
【００３６】
図２は、両ＨＬＰＦ１０３、１０４のフィルタ特性を示している。図２において、曲線Ｓ１は第１のＨＬＰＦ１０３のフィルタ特性を、曲線Ｓ２は第２のＨＬＰＦ１０４のフィルタ特性を、それぞれ示している。図２から分かるように、第１のＨＬＰＦ１０３は、第２のＨＬＰＦ１０４より、高周波数成分を通す特性を有している。
【００３７】
〔３〕第１の水平輪郭補正回路１１１と第２の水平輪郭補正回路１０５の特徴についての説明
【００３８】
上述したように、第１のＨＬＰＦ１０３は、第２のＨＬＰＦ１０４より、高周波数成分を通す特性を有しているので、第１の水平輪郭補正回路１１１は、第２の水平輪郭補正回路１１１に比べて、より細かい（より高解像度の）水平輪郭信号を生成することができる。
【００３９】
しかしながら、第１のＨＬＰＦ１０３は多タップ構成のＬＰＦから構成されているため、第１の水平輪郭補正回路１１１によって生成された水平輪郭信号を使用した場合には、映像内の色の境界部において、リンギングが発生するおそれがある。
【００４０】
そこで、この実施の形態では、高周波成分を含む無彩色部には高周波成分を通す第１のＨＬＰＦ１０３の出力Ｙｈに基づいて生成された第１の水平輪郭信号を採用し、高周波成分を含まない有彩色部にはリンギングを発生しない第２の水平輪郭信号を採用する。
【００４１】
〔４〕彩度積算値算出回路３０１の説明
【００４２】
図３に示すように、１画面内の有効映像領域Ｅ内に、Ｍ×Ｎの数の彩度積算領域Ｚ11〜ＺNMを設定する。そして、彩度積算値算出回路３０１は、各彩度積算領域Ｚ11〜ＺNM毎に、彩度積算値を算出する。なお、彩度は、｛（Ｒ−Ｙ）2 ＋（Ｂ−Ｙ）2 ｝1/2 によって求められる。
【００４３】
〔５〕加重加算係数算出回路３０２の説明
【００４４】
加重加算係数算出回路３０２は、まず、彩度積算値算出回路３０１によって算出された各彩度積算領域Ｚ11〜ＺNM毎の彩度積算値に基づいて、彩度積算領域Ｚ11〜ＺNM毎に第１の水平輪郭信号ＨＡＰ１と、第２の水平輪郭信号ＨＡＰ２との加重加算係数値（領域の中心位置に対する加重加算係数値）Ｋを算出する。
【００４５】
具体的には、図４に示すように、彩度積算値が大きいほど第２の水平輪郭信号ＨＡＰ２の加重加算割合が大きくなるように（Ｋが大きくなるように）加重加算係数値Ｋを決定し、逆に彩度積算値が小さいほど第１の水平輪郭信号ＨＡＰ１の加重加算割合が大きくなるように（Ｋが小さくなるように）加重加算係数値Ｋを決定する。
【００４６】
次に、各彩度積算領域Ｚ11〜ＺNM毎の加重加算係数値Ｋに基づいて、画素毎の加重加算係数値Ｋを算出する。
【００４７】
図５を用いて、画素毎の加重加算係数値Ｋを算出する方法について説明する。
【００４８】
図５には、説明の便宜上、４つの彩度積算領域Ｚ11、Ｚ12、Ｚ21、Ｚ22のみが示されている。領域Ｚ11に対して算出された係数値Ｋを、領域Ｚ11の中央の画素Ａに対する係数値とし、Ｋａで表すことにする。同様に、領域Ｚ12に対して算出された係数値Ｋを、領域Ｚ12の中央の画素Ｂに対する係数値とし、Ｋｂで表すことにする。同様に、領域Ｚ21に対して算出された係数値Ｋを、領域Ｚ21の中央の画素Ｃに対する係数値とし、Ｋｃで表すことにする。同様に、領域Ｚ22に対して算出された係数値Ｋを領域Ｚ22の中央の画素Ｄに対する係数値とし、Ｋｄで表すことにする。
【００４９】
各領域の中央の画素Ａ、Ｂ、Ｃ、Ｄの画素に対する係数値は、それぞれＫａ、Ｋｂ、Ｋｃ、Ｋｄとなる。各領域の中央の画素Ａ、Ｂ、Ｃ、Ｄの画素以外の画素の係数値の求め方について説明する。
【００５０】
たとえば、領域Ｚ11内において、領域Ｚ11から右方向にｘ、下方向にｙ離れた位置の画素Ｐに対する係数値Ｋｐは、画素Ｐの周囲の４つの領域Ｚ11、Ｚ12、Ｚ21、Ｚ22の中央画素に対する係数値（Ｋａ、Ｋｂ、Ｋｃ、Ｋｄ）を線形補間することによって求められる。つまり、画素Ｐの係数値Ｋｐは、次の数式１によって求められる。
【００５１】
【数１】
0003540758.tif 000002
【００５２】
加重加算回路１１２は、１フィールド前に算出された彩度積算値に基づいて求められた加重加算係数Ｋに基づいて、画素毎に、（１−Ｋ）・ＨＡＰ１＋Ｋ・ＨＡＰ２の演算を行なって、水平輪郭信号ＨＡＰを出力する。
【００５３】
上記実施の形態では、彩度積算値算出回路３０１は彩度積算領域Ｚ11〜ＺNM毎の彩度積算値を算出しているが、彩度積算領域Ｚ11〜ＺNM毎の彩度平均値を算出するようにしてもよい。
【００５４】
また、１画面が複数に分割された各分割領域毎または各画素毎に彩度を算出し、第１の水平輪郭補正回路１１１によって生成された第１の水平輪郭信号ＨＡＰ１と第２の水平輪郭補正回路１０５によって生成された第２の水平輪郭信号ＨＡＰ２とを、適応的に選択して出力する選択回路を加重加算回路１１２の代わりに設けてもよい。この際、彩度が所定値より大きい場合には、第２の水平輪郭信号ＨＡＰ２を選択し、彩度が所定値以下の場合には、第１の水平輪郭信号ＨＡＰ１を選択するようにすればよい。
【００５５】
〔Ｂ〕第２の実施の形態の説明
【００５６】
〔１〕単板式ＣＣＤカラーカメラにおける信号処理回路の説明
【００５７】
図６は、単板式ＣＣＤカラーカメラにおける信号処理回路の第２の実施の形態の構成を示している。図６において図１と同じものには同じ符号を付してその説明を省略する。
【００５８】
図６の信号処理回路では、図１の信号処理回路に比べて、次の点が異なっている。
【００５９】
（１）エッジ検出回路４５０が設けられていること。
エッジ検出回路４５０は、入力映像信号、１Ｈ遅延された映像信号および２Ｈ遅延された映像信号に基づいて、エッジ部を検出する。
【００６０】
（２）図１の彩度積算値算出回路３０１の代わりに、彩度評価値算出回路４００が設けられていること。
彩度評価値算出回路４００には、色信号処理回路２０２から出力される色差信号（Ｒ−Ｙ）、（Ｂ−Ｙ）の他、第１のＨＬＰＦ１０３の出力Ｙｈおよびエッジ検出回路４５０からのエッジ検出信号が入力する。
【００６１】
（３）加重加算係数算出回路３０２が、彩度評価値算出回路４００によって求められた領域毎の彩度評価値に基づいて、画素毎の加重加算係数値Ｋを算出すること。
【００６２】
〔２〕彩度評価値算出回路４００の説明
【００６３】
図７は、彩度評価値算出回路４００の構成を示している。
【００６４】
彩度算出回路４０１は、色信号処理回路２０２から出力される色差信号（Ｒ−Ｙ）、（Ｂ−Ｙ）に基づいて、画素毎に彩度を算出する。なお、彩度は、｛（Ｒ−Ｙ）2 ＋（Ｂ−Ｙ）2 ｝1/2 によって求められる。
【００６５】
彩度算出回路４０１によって得られた画素単位の彩度信号はＬＰＦ４０２に送られ、ノイズが除去される。ノイズが除去された彩度信号は、第１彩度補正回路４０３に送られる。
【００６６】
第１彩度補正回路４０３には、第１のＨＬＰＦ１０３から出力される輝度信号Ｙｈが入力している。第１彩度補正回路４０３は、輝度信号Ｙｈに基づいて、低輝度部の彩度が高くなるように、彩度を補正する。第１彩度補正回路４０３によって補正された彩度信号は、第２彩度補正回路４０４に送られる。
【００６７】
第２彩度補正回路４０４には、エッジ検出回路４５０からのエッジ検出信号が入力している。第２彩度補正回路４０４は、エッジ検出信号に基づいて、エッジ部の彩度が０になるように、彩度を補正する。この理由について説明する。
【００６８】
図８（ａ）に示すように、無彩色部の輝度レベルは平坦で、その色レベルは０となる。一方、有彩色部では、図８（ｂ）に示すように、色フィルタの違いにより輝度レベルが交互に変化するが、色レベルは一定である。無彩色のエッジ部分では、図８（ｃ）に示すように、輝度レベルの差が色偽（本来はあってほしくない色）として映像に現れる。そこで、色偽を防止するために、エッジ部の彩度を０にしているのである。
【００６９】
第２彩度補正回路４０４によって補正された彩度信号は、彩度−彩度評価値変換回路４０５に送られる。
【００７０】
彩度−彩度評価値変換回路４０５は、１画面の有効映像領域を複数の領域に分割し、各領域毎に彩度が閾値以上である画素の数をカウントし、そのカウント値をその領域での彩度評価値とする。彩度−彩度評価値変換回路４０５によって算出された領域単位の彩度評価値は、彩度評価値積算回路４０６に送られる。
【００７１】
彩度評価値積算回路４０６は、領域単位の彩度評価値を、領域毎に３フィールド分積算して、各領域のレジスタに書き込む。彩度評価値積算回路４０６によって得られた領域毎の彩度評価値積算値は、２次元ＬＰＦ４０７に送られる。
【００７２】
２次元ＬＰＦ４０７は、彩度評価値積算回路４０６によって得られた領域毎の彩度評価値積算値に対して２次元ＬＰＦ処理を行い、領域毎の最終的な彩度評価値を得る。
【００７３】
図９を用いて、彩度−彩度評価値変換回路４０５、彩度評価値積算回路４０６および２次元ＬＰＦ４０７の動作を、より具体的に説明する。
【００７４】
ここでは、１画面の有効映像領域が２５個の領域に分割されているものとする。
【００７５】
図９（ａ）は、彩度−彩度評価値変換回路４０５によって算出された３フィールド分の領域毎の彩度評価値の例を示している。
【００７６】
図９（ｂ）は、図９（ａ）の３フィールド分の領域毎の彩度評価値から、彩度評価値積算回路４０６が算出した領域毎の彩度評価値積算値を示している。
【００７７】
図９（ｃ）は、２次元ＬＰＦ４０７が図１０に示す２次元ＬＰＦを用いて、図９（ｂ）の彩度評価値積算値に対して２次元ＬＰＦ処理を施した結果を示している。なお、図１０に示す２次元ＬＰＦは、２次元ＬＰＦの一例を示すものであって、これ以外の２次元ＬＰＦを用いてもよい。
【００７８】
〔３〕加重加算係数算出回路３０２の説明
【００７９】
加重加算係数算出回路３０２は、まず、彩度評価値算出回路４００によって算出された各領域毎の最終的な彩度評価値に基づいて、領域毎に第１の水平輪郭信号ＨＡＰ１と、第２の水平輪郭信号ＨＡＰ２との加重加算係数値（領域の中心位置に対する加重加算係数値）Ｋを算出する。
【００８０】
具体的には、図１１に示すように、彩度評価値が大きいほど第２の水平輪郭信号ＨＡＰ２の加重加算割合が大きくなるように（Ｋが大きくなるように）加重加算係数値Ｋを決定し、逆に彩度積算値が小さいほど第１の水平輪郭信号ＨＡＰ１の加重加算割合が大きくなるように（Ｋが小さくなるように）加重加算係数値Ｋを決定する。
【００８１】
次に、第１の実施の形態において、図５を用いて説明したと同様な方法で、各領域毎の加重加算係数値Ｋに基づいて、画素毎の加重加算係数値Ｋを算出する。
【００８２】
加重加算回路１１２は、１フィールド前に算出された彩度評価値に基づいて求められた加重加算係数Ｋに基づいて、画素毎に、（１−Ｋ）・ＨＡＰ１＋Ｋ・ＨＡＰ２の演算を行なって、水平輪郭信号ＨＡＰを出力する。
【００８３】
【発明の効果】
この発明によれば、無彩色部分および有彩色部分のいずれにおいても、高解像度の輝度信号を得ることができるようになる。
【図面の簡単な説明】
【図１】単板式ＣＣＤカラーカメラにおける信号処理回路の第１の実施の形態の構成を示すブロック図である。
【図２】両ＨＬＰＦ１０３、１０４のフィルタ特性を示すグラフである。
【図３】画面内の有効映像領域Ｅ内に設定された彩度積算領域を示す模式図である。
【図４】彩度積算値と加重加算係数値Ｋとの関係を示すグラフである。
【図５】加重加算係数算出回路による画素毎の加重加算係数値Ｋの算出方法を説明するための模式図である。
【図６】単板式ＣＣＤカラーカメラにおける信号処理回路の第２の実施の形態の構成を示すブロック図である。
【図７】彩度評価値算出回路の構成を示すブロック図である。
【図８】第２彩度補正回路４０４によってエッジ部の彩度が０になるように彩度を補正している理由を説明するための説明図である。
【図９】彩度−彩度評価値変換回路４０５、彩度評価値積算回路４０６および２次元ＬＰＦ４０７の動作を具体的に説明するための説明図である。
【図１０】２次元ＬＰＦ４０７で用いられる２次元ＬＰＦの一例を示す模式図である。
【図１１】彩度評価値と加重加算係数値Ｋとの関係を示すグラフである。
【図１２】単板式ＣＣＤカラーカメラにおける従来の信号処理回路の構成を示している。
【符号の説明】
１０１  垂直輪郭補正回路
１０２  ＶＬＰＦ
１０３  第１のＨＬＰＦ
１０４  第２のＨＬＰＦ
１１１  第１の水平輪郭補正回路
１０５  第２の水平輪郭補正回路
１１２  加重加算回路
３０１  彩度積算値算出回路
３０２  加重加算係数算出回路
４００  彩度評価値算出回路
４５０  エッジ検出回路
【図１】
0003540758.tif 000003
【図２】
0003540758.tif 000004
【図３】
0003540758.tif 000005
【図４】
0003540758.tif 000006
【図５】
0003540758.tif 000007
【図６】
0003540758.tif 000008
【図７】
0003540758.tif 000009
【図８】
0003540758.tif 000010
【図９】
0003540758.tif 000011
【図１０】
0003540758.tif 000012
【図１１】
0003540758.tif 000013
【図１２】
0003540758.tif 000014